【事件の表示】
　特願２０００−３３０１９３「遊技機」拒絶査定不服審判事件〔平成１３年　５月　８日出願公開、特開２００１−１２０７３０〕について、次のとおり審決する。
【結　論】
　本件審判の請求は、成り立たない。
【理　由】
【１】本願の手続の経緯 
　本願は、平成９年４月１４日に出願した特願平９−１１３３７３号の一部を、平成１２年１０月３０日に新たな特許出願としたものであって、平成１４年１２月４日付けで拒絶理由が通知され、これに対し平成１４年１２月２０日付けで手続補正がなされ、平成１５年１月２４日付けで拒絶査定がなされ、これに対し、平成１５年２月１７日に拒絶査定に対する審判請求がなされるとともに同日付けで手続補正がなされたものである。
　　　　
【２】平成１５年２月１７日付けの手続補正についての補正の却下の決定
［補正の却下の決定の結論］
　平成１５年２月１７日付けの手続補正を却下する。
［理由］
１．補正後の本願発明
　平成１５年２月１７日付けの手続補正により補正された特許請求の範囲の請求項１に係る発明は、その請求項１に記載されたとおりのものであると認められるところ、その請求項１に係る発明（以下「本願補正発明」という。）は、以下のとおりである。
「【請求項１】遊技球が発射装置の操作により発射路を案内された後に遊技
領域に到る遊技機であって、
　遊技領域上の遊技球の流下通路に１個の検出器を設置すると共に複数の点灯器を配置し、
　前記検出器で遊技球を検出すると、この遊技球の流下に伴う時間間隔で、前記複数の点灯器を順次点灯することを特徴とする遊技機。」
　　　
２．補正の適否の検討
　本願補正発明に係る請求項１の補正は、平成１４年１２月２０日付けで補正された【請求項１】の「点灯器」に関して、「前記複数の点灯器を順次点灯する」を、「この遊技球の流下に伴う時間間隔で、前記複数の点灯器を順次点灯する」に限定的に特定するものであって、平成１５年改正前特許法第１７条の２第４項第２号の特許請求の範囲の減縮を目的とするものに該当する。
　そこで、本願補正発明が、特許出願の際独立して特許を受けることができるものであるか（平成１５年改正前特許法第１７条の２第５項の規定において準用する同法第１２６条第４項の規定に適合するか）について以下に検討する。
　　　
３．引用例に記載の発明
（１）原査定の拒絶の理由に引用され、本願の出願日前に頒布された特開平５−１８４７１２号公報（以下、「引用例」という。）には、図面とともに、以下の事項が記載されている。
（ア）「【実施例】本発明の入賞器２０の実施例を図を参照して説明する。図１は入賞器の全体斜視図、図２は平面図、図３は側面図、図４は遊技盤３に取り付けた図、図５は図４のＡ〜Ａ断面図を示す。ステンレス製帯板の遊技空間区画部材４と同じ形状の弓状に形成された樹脂製の底板２１に打球の誘導路２３を形成する一対の側板２２が同様の弓状の形状で立設する。又、底板２１には表示器用の孔２４ａ〜２４ｄ、例えば入賞球として取り扱われる入賞口２５及び遊技盤３に取り付るビス孔２９を穿設する。更に、該底板２１の下部には表示器２７ａ〜２７ｄを内装するケース２８を設ける。」（段落【０００７】）
（イ）「遊技空間部６内の左右側端部分には、前記遊技盤３面上を流下してくる打球を受け入れる入賞器２０及び遊技空間部６の内側方向に案内する案内部１２を各々設け、各案内部の傾斜下端近傍に回転装飾具１３を各々配設する。尚、入賞器２０の底板２１は遊技盤３と同一面になるようにビス孔２９を介してビス止めされる。上記案内部１２は、例えば、複数の障害釘１４ａ、１４ｂ…を遊技空間区画部材４の内側近くから遊技空間部６の内側に向かって下り傾斜する列状に植設したもので、遊技空間区画部材４の内面と上端の障害釘１４ａとの間隙は打球が通過可能に植設され、他の障害釘１４ｂ〜１４ｄ相互間の間隙は打球の直径よりも狭くしてある。従って、遊技空間部６の側端部分に流下してきた打球は、入賞器２０の誘導路内２３を流下するか或は障害釘１４当って遊技空間部６の内側方向に案内され、回転装飾具１３に当ると該装飾具１３の回転によって様々な方向に流下する。一方、前記した入賞器２０の誘導路２３に入った打球３０は、図５に示すように底板２１に穿設されている入賞口２５から排出される（打球３０ａ）か或はそのまま流下する（打球３０ｂ）。入賞口に入った打球３０ａは、例えば入賞球として取り扱われ、入賞表示ランプ９、表示器２７ａ〜２７ｄ等が点滅表示したり特別遊技装置１１を作動する。この様に、本発明の入賞器２０を遊技空間区画部材４に沿って配設してあるため、遊技空間部６の側端部分に流下してきた打球であっても入賞球として取り扱うことが出来るため、遊技盤を広く使ってゲームの趣向を向上することができるし、表示器を配設できる空間として用いることができる。」（段落【０００９】）
（ウ）「次に、図６〜図８は他の入賞器４０を示し、図６は平面図、図７は側面図、図８は遊技盤に取り付けた状態での断面図を示す。これらの図から明らかなように、図１〜５に示す入賞器２０とは入賞口の形成箇所が異なる。即ち、本実施例での入賞口４２は側板２２に形成されている。従って、図５に示すように誘導路２３に入ってきた打球３０は、側板２２に形成されている入賞口４２から排出されて遊技盤状の図示略の入賞器に誘導され入賞球３０ａ（図示略）となるか或は障害釘（図示略）に当接する。一方、入賞口４２に入らなかった打球３０ｂは、そのまま流下して排出される。尚、側板２２に入賞口４２を形成していても、誘導路２３が弓状に形成してあるため入賞口４２から排出されることは当然生ずる。尚、前記した例での入賞口の数は何れも１個であるが複数個としてもよいことは言うまでもない。」（段落【００１０】）
　　　
　上記記載事項（ア）乃至（ウ）の記載、及び図面の記載からみて、引用例には以下の発明（以下、「引用発明」という。）が記載されていると認められる。
　　　　
＜引用発明＞
「遊技空間部６内の左右側端部分には、前記遊技盤３面上を流下してくる打球を受け入れる入賞器２０及び遊技空間部６の内側方向に打球３０を案内する案内部１２を各々設けたパチンコ機であって、遊技盤３に取り付けた入賞器２０は、遊技空間区画部材４と同じ形状の弓状に形成された底板２１に打球の誘導路２３を形成する一対の側板２２が同様の弓状の形状で立設され、底板２１には表示器用の孔２４ａ〜２４ｄを穿設し、底板２１の下部には表示器２７ａ〜２７ｄを内装するケース２８を設けてなり、遊技空間部６の側端部分に流下してきた打球は、入賞器２０の誘導路２３を流下するか或は障害釘１４に当って遊技空間部６の内側方向に案内され、一方、入賞器２０の誘導路２３に入った打球３０は、底板２１に穿設されている入賞口２５から排出されるか、或はそのまま流下し、入賞口に入った打球３０は、例えば入賞球として取り扱われ、表示器２７ａ〜２７ｄ等を点滅表示させるパチンコ機。」
　　　　　　
４．対比
　本願補正発明と引用発明との対比
　本願補正発明と引用発明とを対比すると、引用発明の「打球３０」が「遊技球」に相当し、以下同様に「遊技空間部６」が「遊技領域」に、「パチンコ機」が「遊技機」に、「表示器２７ａ〜２７ｄ等」が「複数の点灯器」に、「点滅表示」が「点灯」にそれぞれ相当している。
　また、引用発明の「パチンコ機」は、遊技球が発射装置により発射路を案内された後に遊技空間部６（遊技領域）に至り遊技が行われるのは、パチンコ機における遊技の性質上明らかであることから、本願補正発明と同様に「遊技球が発射装置の操作により発射路を案内された後に遊技領域に到る遊技機」として機能するものといえる。
　そして、引用例の上記記載事項（ア）「・・遊技盤３に取り付けた・・・・底板２１には表示器用の孔２４ａ〜２４ｄ、・・を穿設する。更に、・・底板２１の下部には表示器２７ａ〜２７ｄを内装する・・」、同じく記載事項（イ）「・・遊技空間部６内の左右側端部分には、前遊技盤３面上を流下してくる打球を受け入れる入賞器２０・・遊技空間部６の側端部分に流下してきた打球は、入賞器２０の誘導路内２３を流下するか・・」なる記載、及び【図５】の記載からみて、引用発明の「表示器２７ａ〜２７ｄ等」は、遊技盤３に対して取り付けられており、遊技空間部６（遊技領域）上に打球３０（遊技球）の流下通路に配置されていると解されるから、本願補正発明と同様に「遊技領域上の遊技球の流下通路に複数の点灯器を配置」された構成を備えるといえる。
　さらに、本願補正発明の「検出器」に関して、引用例の上記記載事項（イ）「入賞器２０の誘導路２３に入った打球３０は、・・底板２１に穿設されている入賞口２５から排出される・・か或はそのまま流下する・・。入賞口に入った打球３０ａは、例えば入賞球として取り扱われ、・・表示器２７ａ〜２７ｄ等が点滅表示したり・・」なる記載に基づけば、誘導路２３に入った打球３０（遊技球）が入賞口に入賞すると、表示器２７ａ〜２７ｄ等（複数の点灯器）を点滅表示（点灯）させるものであり、しかも、点灯させる契機として打球３０（遊技球）を何らかの検出装置で検出させることはパチンコ機分野における技術常識（例えば、特開平９−２４１３８号公報（段落【０００７】〜【０００９】）、実願平５−６４０６２号（実開平７−３３３８４号）のＣＤ−ＲＯＭ、参照）といえるから、引用発明は、本願補正発明と「検出器で遊技球を検出すると、複数の点灯器を点灯する」点で共通の構成を備えるといえる。
　　　　　
してみると、引用発明と本願補正発明とは、
　　　　　
「遊技球が発射装置の操作により発射路を案内された後に遊技領域に到る遊技機であって、
　遊技領域上の遊技球の流下通路に複数の点灯器を配置し、
　検出器で遊技球を検出すると、前記複数の点灯器を点灯する遊技機。」
　　　　　
　である点で一致し、以下の点で相違する。
　　　　　
＜相違点＞
　本願補正発明は、検出器が遊技球の流下通路に１個設置され、１個の検出器で遊技球を検出すると複数の点灯器が遊技球の流下に伴う時間間隔で順次点灯するのに対し、引用発明は、検出器が遊技球の流下通路に１個設置されているか否か明らかでなく、また、複数の点灯器が遊技球の流下に伴う時間間隔で順次点灯するものでない点。
　　　　　　
５．相違点についての検討
＜相違点＞について
　パチンコ機分野において、遊技領域上の流下通路に設置される検出器が遊技球を検出すると点灯器を点灯させる技術として、パチンコ玉流下通路に沿って１個のパチンコ玉検出スイッチを設け、パチンコ玉が通過すると発光手段を発光させる点が、実願平５−６４０６２号（実開平７−３３３８４号）のＣＤ−ＲＯＭ（段落【０００９】、【００１０】参照）に、また、遊技盤に設けられる表示装置の周辺側面に検出器を設け、可動体（遊技球）の通過を検出すると表示装置の表示を変更させる点が、特開平８−２６６７１９号公報（段落【０００７】、【００１１】、【００１９】、【００２５】参照）に記載されており、これらから、パチンコ機分野において、遊技球を検出すると点灯器を点灯させる検出器を遊技領域上の流下通路に設置することは、従来周知の技術（以下、「周知技術１」という。）であり、また、１個の検出器が遊技球を検出すると、複数の点灯器を点灯させる点も、従来周知の技術（例えば、実願昭５１−６４２９３号（実開昭５２−１５６１８７号）のマイクロフィルム（第８図）、特開平９−２４１３８号公報（段落【０００７】〜【０００９】）参照：以下「周知技術２」という。）といえる。
　そして、複数の点灯器が遊技球の流下に伴う時間間隔で順次点灯する点に関して、打球発射装置から打ち出される打球に沿って順次発光ＬＥＤを点灯する点が、特開平８−２４４０５号公報（段落【００１７】、【００２１】、【００２２】参照）に、また、パチンコ玉（遊技球）が発射位置から弾発されて遊技領域に移動していく様子を複数の蛍光表示器で順次点灯の制御を行う点が、特開平６−２１８１１６号公報（段落【００４３】参照）及び特開平６−２４６０５１号公報（段落【００４３】参照）に記載されており、これらから、複数の点灯器を点灯させるパチンコ機分野において、複数の点灯器を遊技球が移動するように順次点灯を行うことは、従来周知の技術（以下、「周知技術３」という。）といえる。
　そして、引用発明及び上記周知技術１、２、３は、遊技機に配置された点灯器を点灯させる点で技術分野が共通しており、また、引用発明における検出器の設置、及び複数の点灯器の点灯態様の制御に、相互に技術の転用を図ることに格別困難性はなく、そして、上記周知技術３の遊技球が移動するように順次点灯を行う際に、遊技球の移動が遊技領域の箇所の違いで発射時や流下時となる等の各態様に合わせて、例えば、遊技球の流下に伴うように順次点灯を行わせることも、適宜に変更し得る設計事項といえるから、引用発明の検出器の設置、及び点灯器の点灯態様に、遊技領域上の流下通路に検出器を備える上記周知技術１、１個の検出器で複数の点灯器を点灯させる上記周知技術２、及び複数の点灯器を遊技球が移動するように順次点灯を行う上記周知技術３を各々適用し、検出器が遊技球の流下通路に１個設置され、１個の検出器で遊技球を検出すると複数の点灯器が遊技球の流下に伴う時間間隔で順次点灯するように制御を行うこと、即ち、本願補正発明に係る相違点を構成とすることは、当業者であれば容易に想到し得たことである。　　　　
　　　　　
６．作用効果・判断
  そして、本願補正発明における作用効果は、引用発明及び上記周知技術に基づいて当業者が当然予測できるものである。
　したがって、本願補正発明は、引用発明及び周知技術に基づいて当業者が容易に発明をすることができたものであるから、特許法第２９条第２項の規定により特許を受けることができない。
　　　　　
７．むすび
　以上のとおり、本願補正発明は、平成１５年改正前特許法第１７条の２第５項の規定において準用する同法第１２６条第４項の規定に違反するものであり、特許法第１５９条第１項の規定において読み替えて準用する同法第５３条第１項の規定によって却下されるべきものである。
　よって、上記「補正の却下の決定の結論」のとおり決定する。
　　　　　
【３】本願発明について
１．本願発明
　平成１５年２月１７日付けの手続補正は上記のとおり却下されたので、本願の特許請求の範囲の請求項１に係る発明（以下、「本願発明」という。）は、平成１４年１２月２０日付けの手続補正書の明細書及び図面の記載からみて、以下のとおりである。
「【請求項１】遊技球が発射装置の操作により発射路を案内された後に遊技
領域に到る遊技機であって、
　遊技領域上の遊技球の流下通路に１個の検出器を設置すると共に複数の点灯器を配置し、
　前記検出器で遊技球を検出すると、前記複数の点灯器を順次点灯することを特徴とする遊技機。」
　　　　
２．引用例に記載された発明
　原査定の拒絶の理由に引用された引用例の記載事項は、前記【２】３．に摘記したとおりである。
　　　　
３．対比・判断
　本願発明は、本願補正発明から前記【２】２．で検討した限定事項を省いたものである。
　そうすると、本願発明の構成要件を全て含み、さらに、上記限定事項を付加したものに相当する本願補正発明が、前記【２】５．で検討したとおり、引用発明及び周知技術に基づいて、当業者が容易に発明をすることができたものであるから、本願発明も同様の理由により、引用発明及び周知技術に基づいて、当業者が容易に発明をすることができたものである。
　　　　
４．むすび
　以上のとおり、本願発明は、引用発明及び周知技術に基づいて、当業者が容易に発明をすることができたものであり、特許法第２９条第２項の規定により特許を受けることができないものであり、本願は拒絶すべきものである。
　よって、結論のとおり審決する。